(57)【特許請求の範囲】
【請求項１】
長尺状に形成され吊ボルトを用いて天井材に取り付けられる器具本体と、前記器具本体に取り付けられる光源ユニットとを備え、
前記器具本体における前記天井材と反対側には、前記器具本体の長手方向に沿って収容凹部が設けられ、前記収容凹部の底面部には前記吊ボルトを通すための孔が設けられており、
前記光源ユニットは、複数のＬＥＤが実装されたＬＥＤ基板と、前記複数のＬＥＤが前記収容凹部の外側を向くようにして前記ＬＥＤ基板を前記器具本体に取り付けるための取付部材と、前記複数のＬＥＤに点灯電力を供給する電源装置とを有し、
前記取付部材は、前記器具本体の前記収容凹部と対向する部位に前記吊ボルトの少なくとも一部及び前記電源装置が配置される収容部を有し、
前記電源装置は、前記光源ユニットを前記器具本体に取り付けた状態で前記収容部内における前記吊ボルトと干渉しない位置に配置されることを特徴とする照明器具。
【請求項２】
前記取付部材は、長尺且つ矩形板状に形成された底面部と、前記底面部の幅方向における両側から前記底面部と交差する方向に突出する一対の側面部とで形成されており、前記底面部と一対の前記側面部とで囲まれる空間により前記収容部が構成されていることを特徴とする請求項１記載の照明器具。
【請求項３】
吊ボルトを通すための孔を有し、前記孔に通された前記吊ボルトによって天井材に取り付けられる器具本体に取り付けられる光源ユニットであって、
複数のＬＥＤが実装されたＬＥＤ基板と、前記複数のＬＥＤに点灯電力を供給する電源装置と、一面側に前記ＬＥＤ基板、他面側に前記電源装置がそれぞれ配置される板状の取付部材とを備え、
前記取付部材は、前記器具本体と対向する部位に前記吊ボルトの少なくとも一部及び前記電源装置が配置される収容部を有し、
前記電源装置は、前記光源ユニットを前記器具本体に取り付けた状態で前記収容部内における前記吊ボルトと干渉しない位置に配置されることを特徴とする光源ユニット。
【請求項４】
前記取付部材は、長尺且つ矩形板状に形成された底面部と、前記底面部の幅方向における両側から前記底面部と交差する方向に突出する一対の側面部とで形成されており、前記底面部と一対の前記側面部とで囲まれる空間により前記収容部が構成されていることを特徴とする請求項１記載の光源ユニット。
【発明の詳細な説明】
【技術分野】
【０００１】
本発明は、光源ユニット及び照明器具に関するものである。
【背景技術】
【０００２】
従来より、取付ねじを用いて天井に取り付けられる天井直付け型の照明器具が提供されている（例えば特許文献１参照）。この照明器具は、横長且つ長尺状に形成されたベースプレートと、ベースプレートに対して天井と反対側に配置されるウィング部と、複数のホルダを用いてウィング部に取り付けられるＬＥＤユニットとを備える。ベースプレートの略中央部には、取付ねじを通すためのねじ穴が長手方向に沿って複数設けられている。またＬＥＤユニットは、複数のＬＥＤモジュールと、複数のＬＥＤモジュールを支持する支持部材と、複数のＬＥＤモジュールを覆うようにして支持部材に取り付けられるカバーと、複数のＬＥＤに電力を供給するための電力変換部とを有する。そして、一体に組み付けられたＬＥＤユニットは、その一部がウィング部に設けられた凹部に収容された状態で複数のホルダを用いてウィング部に取り付けられる。
【先行技術文献】
【特許文献】
【０００３】
【特許文献１】特開２０１１−１４２０６３号公報
【発明の概要】
【発明が解決しようとする課題】
【０００４】
上述の特許文献１に示した照明器具では、天井に取り付けた状態で取付ねじがウィング部の凹部内に進入できるようになっておらず、取付ねじのねじ頭を配置するためのスペースがベースプレートとウィング部の間に設けられているため、器具全体の高さ寸法が大きくなってしまい、その結果天井からの突出量が大きくなっていた。
【０００５】
本発明は上記問題点に鑑みて為されたものであり、その目的とするところは、天井からの突出量を低く抑えた光源ユニット及び照明器具を提供することにある。
【課題を解決するための手段】
【０００６】
本発明の照明器具は、長尺状に形成され吊ボルトを用いて天井材に取り付けられる器具本体と、前記器具本体に取り付けられる光源ユニットとを備え、前記器具本体における前記天井材と反対側には、前記器具本体の長手方向に沿って収容凹部が設けられ、前記収容凹部の底面部には前記吊ボルトを通すための孔が設けられており、前記光源ユニットは、複数のＬＥＤが実装されたＬＥＤ基板と、前記複数のＬＥＤが前記収容凹部の外側を向くようにして前記ＬＥＤ基板を前記器具本体に取り付けるための取付部材と、前記複数のＬＥＤに点灯電力を供給する電源装置とを有し、前記取付部材は、前記器具本体の前記収容凹部と対向する部位に前記吊ボルトの少なくとも一部及び前記電源装置が配置される収容部を有し、前記電源装置は、前記光源ユニットを前記器具本体に取り付けた状態で前記収容部内における前記吊ボルトと干渉しない位置に配置されることを特徴とする。
【０００７】
この照明器具において、前記取付部材は、長尺且つ矩形板状に形成された底面部と、前記底面部の幅方向における両側から前記底面部と交差する方向に突出する一対の側面部とで形成されており、前記底面部と一対の前記側面部とで囲まれる空間により前記収容部が構成されているのが好ましい。
本発明の光源ユニットは、吊ボルトを通すための孔を有し、前記孔に通された前記吊ボルトによって天井材に取り付けられる器具本体に取り付けられる光源ユニットであって、複数のＬＥＤが実装されたＬＥＤ基板と、前記複数のＬＥＤに点灯電力を供給する電源装置と、一面側に前記ＬＥＤ基板、他面側に前記電源装置がそれぞれ配置される板状の取付部材とを備え、前記取付部材は、前記器具本体と対向する部位に前記吊ボルトの少なくとも一部及び前記電源装置が配置される収容部を有し、前記電源装置は、前記光源ユニットを前記器具本体に取り付けた状態で前記収容部内における前記吊ボルトと干渉しない位置に配置されることを特徴とする。
この光源ユニットにおいて、前記取付部材は、長尺且つ矩形板状に形成された底面部と、前記底面部の幅方向における両側から前記底面部と交差する方向に突出する一対の側面部とで形成されており、前記底面部と一対の前記側面部とで囲まれる空間により前記収容部が構成されているのが好ましい。
【発明の効果】
【０００８】
光源ユニットを器具本体に取り付けた状態では、吊ボルトの少なくとも一部が取付部材の収容部に配置されるので、収容部を設けない場合に比べて器具全体の高さ寸法を小さくすることができ、その結果天井からの突出量を低く抑えた照明器具を提供することができるという効果がある。
【図面の簡単な説明】
【０００９】
【図１】（ａ）は本実施形態の照明器具の幅方向に沿った一部省略せる断面図、（ｂ）は同上の長手方向に沿った断面図である。
【図２】同上の分解斜視図である。
【図３】同上の全体斜視図である。
【図４】同上から光源ユニットを取り外した状態の斜視図である。
【発明を実施するための形態】
【００１０】
以下に、照明器具Ａの実施形態について図１〜図４を参照して説明する。なお、以下の説明では特に断りがない限り、図１（ｂ）に示す向きにおいて上下左右の方向を規定し、さらに図１（ｂ）中の紙面に垂直な方向を前後方向と規定して説明を行う。したがって、図１（ａ）中の左右方向が前後方向となる。
【００１１】
本実施形態の照明器具Ａは、図１〜図４に示すように、天井直付け型の照明器具であり、吊ボルト２００（図１（ｂ）参照）を用いて天井材１００に取り付けられる器具本体１と、器具本体１に対して着脱自在に取り付けられる光源ユニット２とを備える。なお本実施形態では、図１（ａ）に示すように、天井裏に設けた梁４００に吊ボルト２００が取り付けられており、天井材１００に設けた孔を通して吊ボルト２００が室内側（下側）に露出している。
【００１２】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。また、収容凹部１１の底面部１１１には、電線を通すための孔１１１ａが前後方向（長手方向）に沿って複数（図２では５個）設けられており、さらに吊ボルト２００を通すための孔１１１ｂが前後方向における両端寄りの位置にそれぞれ２個ずつ設けられている。さらに、器具本体１の前後方向における両端部には、図２〜図４に示すように、エンドキャップ３がそれぞれ取り付けられている。
【００１３】
光源ユニット２は、図２に示すように、複数（図２では２個）のＬＥＤ基板２２と、ＬＥＤ基板２２が取り付けられる取付部材２１と、ＬＥＤ基板２２を覆うようにして取付部材２１に取り付けられるカバー部材２３と、ＬＥＤ基板２２に所定の点灯電力を供給する電源装置２４と、端子台ブロック２５とを有する。
【００１４】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図２中の右側）のＬＥＤ基板２２の一端部（右端部）には、電源装置２４との間を電気的に接続するためのコネクタ２２３が実装されている。このコネクタ２２３には電線（図示せず）が接続されており、この電線の端部を電源装置２４に接続することでＬＥＤ基板２２と電源装置２４とが電気的に接続される。また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図２中の右側）のＬＥＤ基板２２から他方（図２中の左側）のＬＥＤ基板２２に電源を供給することができる。
【００１５】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図１（ｂ）に示すように、互いに離れる方向に傾斜する傾斜部２１２ａがそれぞれ全長に亘って設けられている。底面部２１１の前後方向（長手方向）における一端部（図２中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。なお、上述したＬＥＤ基板２２は、例えば取付部材２１の底面部２１１の一部を切り起こすことで形成された係止爪（図示せず）により取付部材２１に固定される。
【００１６】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している。また、カバー部材２３の左右方向における両端部には、図１（ｂ）に示すように、光源ユニット２を器具本体１に取り付けた状態で、上下方向において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００１７】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。収納ケース２４２は、図１（ｂ）に示すように、一面（取付部材２１の底面部２１１との対向面）が開口し且つ前後方向に長い矩形箱状の収納部２４２ａと、収納部２４２ａの開口端縁から側方（図１（ｂ）中の左側）に延出する第１延出部２４２ｂ、第１延出部２４２ｂの先端から上側（器具本体１側）に延出する第２延出部２４２ｃ、及び第２延出部２４２ｃと対向する収納部２４２ａの側面部２４２ｄで囲まれる空間からなる溝部２４２ｅとを有する。この溝部２４２ｅは、端子台ブロック２５から電源装置２４への電線や、電源装置２４からＬＥＤ基板２２への電線、隣接する照明器具Ａへの送り電線などを通すための配線スペースとして利用される。そして、この電源装置２４は、取付部材２１の底面部２１１と両側面部２１２，２１２とで囲まれる空間からなる収容部２１３に少なくとも一部が収容された状態で、例えばねじなどを用いて取付部材２１に取り付けられる。
【００１８】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００１９】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、上記係止爪によりＬＥＤ基板２２を取付部材２１の底面部２１１に固定し、さらにＬＥＤ基板２２のコネクタ２２３から導出する電線を取付部材２１の底面部２１１に設けた孔２１１ａに通した後、その端部を電源装置２４に接続する。そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。なお、カバー部材２３を取付部材２１に取り付ける上記方法は一例であり、他の方法であってもよい。
【００２０】
続けて、照明器具Ａの施工手順について説明する。まず最初に、作業者は、室内側に露出する上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。その後、作業者は、上記電源線を端子台２５１に接続し、少なくとも電源装置２４及び端子台ブロック２５が収容凹部１１に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される。
【００２１】
ここで、図１（ａ）及び図１（ｂ）は照明器具Ａを天井材１００に取り付けた状態の断面図であり、図１（ｂ）に示すように、吊ボルト２００の一部及び電源装置２４の一部が取付部材２１の収容部２１３に配置される。また、図１（ａ）に示すように、電源装置２４の長手寸法Ｌ１（前後方向に沿った寸法）が吊ボルト２００の取付ピッチ寸法Ｐ１よりも小さく設定されているため、前後方向（図１（ａ）中の左右方向）において吊ボルト２００と干渉しないように電源装置２４を配置することができる。
【００２２】
而して本実施形態によれば、光源ユニット２を器具本体１に取り付けた状態では、吊ボルト２００の少なくとも一部が取付部材２１の収容部２１３に配置されるので、収容部を設けない場合に比べて器具全体の高さ寸法を小さくすることができ、その結果天井からの突出量を低く抑えた照明器具Ａを提供することができる。また、端子台ブロック２５から電源装置２４への電線や、電源装置２４からＬＥＤ基板２２への電線、隣接する照明器具Ａへの送り電線などを通すための配線スペースとして収容部２１３を利用することもできる。さらに、取付部材２１の形状をＵ字状とすることで成形が容易になり、その結果製作工数を削減できてコストダウンを図ることができる。
本実施形態の照明器具Ａは、長尺状に形成され吊ボルト２００を用いて天井材１００に取り付けられる器具本体１と、器具本体１に取り付けられる光源ユニット２とを備える。器具本体１における天井材１００と反対側には、器具本体１の長手方向に沿って収容凹部１１が設けられ、収容凹部１１の底面部１１１には吊ボルト２００を通すための孔１１１ｂが設けられている。光源ユニット２は、複数のＬＥＤ２２２が実装されたＬＥＤ基板２２と、複数のＬＥＤ２２２が収容凹部１１の外側を向くようにしてＬＥＤ基板２２を器具本体１に取り付けるための取付部材２１と、複数のＬＥＤ２２２に点灯電力を供給する電源装置２４を有する。取付部材２１は、器具本体１の収容凹部１１と対向する部位に吊ボルト２００の少なくとも一部及び電源装置２４が配置される収容部２１３を有する。電源装置２４は、光源ユニット２を器具本体１に取り付けた状態で収容部２１３内における吊ボルト２００と干渉しない位置に配置される。
また、本実施形態の照明器具Ａのように、取付部材２１は、長尺且つ矩形板状に形成された底面部２１１と、底面部２１１の幅方向における両側から底面部２１１と交差する方向に突出する一対の側面部２１２とで形成されているのが好ましい。この場合、底面部２１１と一対の側面部２１２とで囲まれる空間により収容部２１３が構成されている。
本実施形態の光源ユニット２は、吊ボルト２００を通すための孔１１１ｂを有し、孔１１１ｂに通された吊ボルト２００によって天井材１００に取り付けられる器具本体１に取り付けられる。光源ユニット２は、ＬＥＤ基板２２と、電源装置２４と、取付部材２１とを備える。ＬＥＤ基板２２は、複数のＬＥＤ２２２が実装される。電源装置２４は、複数のＬＥＤ２２２に点灯電力を供給する。取付部材２１は、板状であって、一面側にＬＥＤ基板２２、他面側に電源装置２４がそれぞれ配置される。取付部材２１は、器具本体１と対向する部位に吊ボルト２００の少なくとも一部及び電源装置２４が配置される収容部２１３を有する。電源装置２４は、光源ユニット２を器具本体１に取り付けた状態で収容部２１３内における吊ボルト２００と干渉しない位置に配置される。
また、本実施形態の光源ユニット２のように、取付部材２１は、長尺且つ矩形板状に形成された底面部２１１と、底面部２１１の幅方向における両側から底面部２１１と交差する方向に突出する一対の側面部２１２とで形成されているのが好ましい。この場合、底面部２１１と一対の側面部２１２とで囲まれる空間により収容部２１３が構成されている。
【符号の説明】
【００２３】
１  器具本体
２  光源ユニット
１１  収容凹部
２１  取付部材
２２  ＬＥＤ基板
２４  電源装置
１００  天井材
１１１  底面部
２００  吊ボルト
２１３  収容部
２２２  ＬＥＤ
Ａ  照明器具
【要約】
【課題】天井からの突出量を低く抑えた照明器具を提供する。
【解決手段】照明器具Ａは、長尺状に形成され吊ボルト２００を用いて天井材１００に取り付けられる器具本体１と、器具本体１に対して着脱自在に取り付けられる光源ユニット２とを備える。器具本体１における天井材１００と反対側には、器具本体１の長手方向に沿って収容凹部１１が設けられ、収容凹部１１の底面部１１１には、吊ボルト２００を通すための孔が設けられている。光源ユニット２は、複数のＬＥＤ２２２が実装されたＬＥＤ基板２２と、ＬＥＤ基板２２を器具本体１に取り付けるための取付部材２１と、複数のＬＥＤ２２２に対して点灯電力を供給する電源装置２４とを有する。取付部材２１は、器具本体１の収容凹部１１と対向する部位に収容部２１３を有し、電源装置２４は、光源ユニット２を器具本体１に取り付けた状態で吊ボルト２００と干渉しない位置に配置される。
【選択図】図１【図１】
0005453503.tif 000002
【図２】
0005453503.tif 000003
【図３】
0005453503.tif 000004
【図４】
0005453503.tif 000005